(57)【要約】【課題】バーコード読み取り機構において，外光によるバーコード情報の読み取りにおける影の影響を容易に回避する。【解決手段】  用紙に記録されたバーコードを読み取るバーコード読み取り機構において，筐体と，前記筐体の前面に配置され，前記用紙に記録されたバーコードが位置づけられる透視窓と外部光を採光する開口窓を備えた前面パネルと，前記筐体内に配置された，前記開口窓から入射する外部光を反射して，前記透視窓に位置づけられたバーコードを照射する反射鏡と，前記筐体内に配置された，前記透視窓に位置づけられたバーコードを撮像するイメージセンサと，を有して構成される。【選択図】  図１０
0003112522.tif 000002
【実用新案登録請求の範囲】
【請求項１】
用紙に記録されたバーコードを読み取るバーコード読み取り機構において，
筐体と，
前記筐体の前面に配置され，前記用紙に記録されたバーコードが位置づけられる透視窓と外部光を採光する開口窓を備えた前面パネルと，
前記筐体内に配置された，前記開口窓から入射する外部光を反射して，前記透視窓に位置づけられたバーコードを照射する反射鏡と，
前記筐体内に配置された，前記透視窓に位置づけられたバーコードを撮像するイメージセンサと，
を有して構成されることを特徴とするバーコード読み取り機構。
【請求項２】
請求項１において，
前記前面パネルの全体が光透過板で構成され，且つ前記光透過板に前記透視窓の位置情報が記録されており，
前記開口窓は，前記透視窓に前記用紙に記録したバーコードが位置づけられる際の前記用紙の一端辺より上方の光透過部分が対応する，
ことを特徴とするバーコード読み取り機構。
【請求項３】
請求項２において，
前記透視窓の位置情報は，前記用紙の一端辺と左右両側辺を位置づける枠線であることを特徴とするバーコード読み取り機構。
【請求項４】
請求項１乃至３のいずれかにおいて，
前記反射鏡は，凸面を有していることを特徴とするバーコード読み取り機構。
【請求項５】
請求項１又は２において，
前記開口窓の高さ方向の大きさと，前記開口窓の横方向の大きさは，太陽光の移動する所定時間の範囲において，前記外部光の採光を可能とする大きさであることを特徴とするバーコード読み取り機構。
【考案の詳細な説明】
【技術分野】
【０００１】
本考案は、バーコード読み取り機構に関し、特に屋外に置かれた機器に組み込まれ使用されるバーコード読み取り機構に関する。
【背景技術】
【０００２】
近年、セルフサービス方式の給油取扱所（セルフ式ガソリンスタンド）が普及している。かかるセルフ式ガソリンスタンドにおいては、釣り銭精算機が屋外に配置される。かかる釣り銭精算機は，バーコード読み取り機構を備え，レシート用紙に印刷記録されたバーコードを取引のために読み取る機能を有する。
【０００３】
かかるセルフ式ガソリンスタンドにおいて，レシート用紙を用いる釣り銭精算機を備えるシステムが特許文献１に開示されている。
【０００４】
図１は、かかる特許文献１等に記載のセルフ式ガソリンスタンドに使用される釣り銭精算機の概念構成を示す装置の外観図である。
【０００５】
図１において，釣り銭精算機の内部に組み込まれるバーコード読み取り機構の装置外部とのインターフェース部となる開口部１が釣り銭精算機の上部中央に見える。また，装置下方部に紙幣（お札）又は硬貨の釣り銭の払い出し部２を有する。釣り銭の払い出し部２は，お札と硬貨の払い出し口２ａ，２ｂを有している。
【０００６】
図２は，釣り銭精算機の内部に組み込まれるバーコード読み取り機構の概略断面図である。筐体１Ａの前面側に透視窓１１を有する前面パネル１０を備えている。取引用バーコードが印刷記録された用紙（以下，レシート用紙という）２０を，顧客により取引用バーコードが透視窓１１に向かうように前面パネル１０に位置づける。
【０００７】
ＣＣＤ等のイメージセンサ１２は，光学系を構成する反射板１２ａ，集光レンズ１２ｂを通して，取引用バーコードの光学像を撮像する。この際，集光レンズ１２ｂの近傍に配置された，図示省略されているＬＥＤの発光により光学系を通してバーコードの面が照射される。また，図２に示すように補助光源１３を設け，前記の図示省略されているＬＥＤの発光に加えて補助光を供給するように構成されている。
【０００８】
図３は，前面パネル１０を更に説明する図である。不透明の板の一部に透視窓１１が形成されている。図３の右側は前面パネル１０の断面を示している。図４は，レシート用紙２０の一例である。レシート用紙２０に取引情報２０Ａが記録され，当該取引情報を識別するバーコード２０Ｂがレシート用紙２０の下部に記録されている。バーコード２０Ｂは，例えば一次元又は，二次元のバーコードで構成される。
【０００９】
利用者は，レシート用紙２０を用いて，対応するバーコード読み取り機構を有する釣り銭精算機にバーコード２０Ｂを読み取らせる。
【００１０】
図５Ａ〜図５Ｃは，バーコード２０Ｂの読み取りを説明する図である。図５Ａに示すように，利用者は，レシート用紙２０を裏返にして，前面パネル１０の透視窓１１にバーコード２０Ｂを位置づける。この際，図５Ｂに示すように，利用者は，レシート用紙２０の透視窓１１への位置づけを確実にするために，利用者の指２０Ｃでレシート用紙２０の裏面に触れて透視窓１１に押しつける操作を行う傾向となる。
【００１１】
図５Ｃは，この時の状態を前面パネル１０の裏面側即ち，バーコード読み取り機構の内側から見た概念図である。なお，図５Ｃにおいて，実際はレシート用紙２０の部分は，バーコード読み取り機構の内側からは見えない部分である。
【００１２】
透視窓１１を通してバーコード２０Ｂの部分が読み取れるが，図５Ｂに示したように利用者の指２０Ｃで押された部分は，外光による影２０Ｄとなって見える。
【００１３】
図６は，バーコード２０Ｂの構成及び，バーコード読み取り信号を説明する図である。
【００１４】
図６Ａは，一次元バーコードの構成を示す図であり，バーコードシンボルの前後にクアイアットゾーンＱＺを有し，バーコードシンボルは先頭のスタートコードＳＴＣとストップコードＳＰＣの間にデータ領域ＤＴとチェックコードＣＲＣを有している。
【００１５】
図６Ｂにおいて，イメージセンサ１２でこれを読み取り，増幅した波形（図６Ｂ，ａ）が示されている。増幅した波形を所定閾値で判定した結果が図６Ｂ，ｂである。図６Ｂ，ｂのパルス波形からバーコード２０Ｂのコード情報が判定される。
【００１６】
図７は，増幅した読み取り波形の閾値判定を説明する図である。
【００１７】
図７Ａは，イメージセンサ１２で読み取り，増幅された信号に対し所定閾値ＴＨ１が設定されている（図７Ａ，波形ａ）。この所定閾値ＴＨ１のレベルを超えているか否かで，コード情報が判定される（図７Ａ，波形ｂ）。
【００１８】
図７Ｂは，先に図５Ａ〜図５Ｂについて説明したように利用者の指２０Ｃにより  レシート用紙２０が押さえられた時の外光の影による影響を示している。すなわち，イメージセンサ１２で読み取り，増幅された信号における，指２０Ｃで押さえられた部分に対応する領域Ａとその他の部分の照度差が大きくなり，結果として領域Ａの信号レベルが小さくなっている（図７Ｂ，波形ａ参照）。すなわち，波形ａは，ＡＧＣ増幅器によりコンパレータによる閾値との比較に適する程度までに増幅されるが，領域Ａのみ特に増幅度を上げるまでにはＡＧＣは構成されていない。
【００１９】
したがって，判定基準として閾値ＴＨ１が設定されている場合は，領域Ａの全体の信号レベルが“０”と判定されてバーコードとして正しく読み取ることができない。そこで，バーコードとしての読み取り失敗の判定に基づき判定基準を変更する帰還制御により閾値を閾値ＴＨ１と異なる閾値ＴＨ２に設定する。これにより，図７Ａの場合と同様に，正しくコード情報を判定することができる（図７Ｂ，波形ａ）。
【００２０】
しかし，図７Ｃに示すように，外光がより強くなり指２０Ｃで押さえられた部分に対応する領域Ａとその他の部分の照度差が著しくなり，結果として領域Ａとその他の部分のバーコード信号レベルの両方を読み取る閾値レベルが存在しなくなり閾値レベルＴＨ２（図７Ｃ，波形ａ）では，正常なコード情報を判定することができず，領域Ａの全体の信号レベルが“０”と判定されてしまう（図７Ｃ，波形ｂ）。
【００２１】
特に，セルフ式ガソリンスタンド等の釣り銭精算機は屋外等周辺が明るいところに配置されるために，直射日光などの外光による影響が大である。図８は，日本国内のある地域における日中の時間変化とバーコード読み取り面における照度の変化を測定したデータである。最大３倍の照度差が朝方の時刻から夕刻間での間に生じている。かかる場合，図７Ａ〜図７Ｃについて説明したように，閾値の制御では領域Ａの信号読み取りが困難になり，結果としてバーコード情報の読み取りが不能となる恐れがある。
【特許文献１】特許３，３２２，２８７号公報
【考案の開示】
【考案が解決しようとする課題】
【００２２】
このために，従来技術として，図９に示すように開口部１を覆う庇１００を設けて外光によるバーコード読み取りに対する影響を回避している。しかし，庇１００による装置の大型化を伴うと共に，操作者の視界を遮り不便を生じる。さらには，外観上の美的デザインの点からも好ましいものではない。あるいは，装置の設置場所を直射日光の影響がない所にするなどの工夫が必要であると共に，利用者の利便性を制約することになり，好ましくない。
【００２３】
また，図２において説明したように，バーコード面を照射するために集光レンズ１２ｂの近傍に設けたＬＥＤとともに補助光源１３を設ける構成においても，直射日光に対抗できる程の照射光を得るためには，補助光源１３の大型化と消費電力の大幅な増加は避けられないものである。実際的には，本考案者による測定によって，補助光源１３としてＬＥＤ補助光の使用により、60,000LUX程度までの直射日光に対しては対応できるものの、これ以上（本考案者による海外における実測値で、最大136,000LUX)の直射日光により生じる影の影響に対してはバーコード像を読み取れないということも認識されている。
【００２４】
したがって，本考案の目的は，かかる外光によるバーコード情報の読み取りにおける影の影響を容易に回避できるバーコード読み取り機構を提供することにある。
【課題を解決するための手段】
【００２５】
上記の本考案の目的を達成するバーコード読み取り機構は，その第１の態様として用紙に記録されたバーコードを読み取るバーコード読み取り機構において，筐体と，前記筐体の前面に配置され，前記用紙に記録されたバーコードが位置づけられる透視窓と外部光を採光する開口窓を備えた前面パネルと，前記筐体内に配置された，前記開口窓から入射する外部光を反射して，前記透視窓に位置づけられたバーコードを照射する反射鏡と，前記筐体内に配置された，前記透視窓に位置づけられたバーコードを撮像するイメージセンサとを有して構成されることを特徴とする。
【００２６】
上記の本考案の目的を達成するバーコード読み取り機構は，その第２の態様として第１の態様において，前記前面パネルの全体が光透過板で構成され，且つ前記光透過板に前記透視窓の位置情報が記録されており，前記開口窓は，前記透視窓に前記用紙に記録したバーコードが位置づけられる際の前記用紙の一端辺より上方の光透過部分が対応することを特徴とする。
【００２７】
上記の本考案の目的を達成するバーコード読み取り機構は，その第３の態様として第２の態様において，前記透視窓の位置情報は，前記用紙の一端辺と左右両側辺を位置づける枠線であることを特徴とする。
【００２８】
上記の本考案の目的を達成するバーコード読み取り機構は，その第４の態様として第１乃至第３の態様のいずれかにおいて，前記反射鏡は，凸面を有していることを特徴とする。
【００２９】
上記の本考案の目的を達成するバーコード読み取り機構は，その第５の態様として第１又は第２の態様において，前記開口窓の高さ方向の大きさと，前記開口窓の横方向の大きさは，太陽光の移動する所定時間の範囲において，前記外部光の採光を可能とする大きさであることを特徴とする。
【００３０】
本考案の特徴は，以下の実施の形態の説明により更に明らかになる。
【考案の効果】
【００３１】
本考案により，バーコード情報の読み取りに際し，バーコードの読み取り画像に外光による部分的な影が大きな照度のコントラストを与え，バーコード情報の読み取りが困難になるという問題が回避される。
【考案を実施するための最良の形態】
【００３２】
以下図面に従い，本考案の実施の形態例を説明するが，実施の形態例は本考案の理解のためのものであり，本考案の技術的範囲はこれに限定されるものではない。
【００３３】
図１０は，本考案を適用するバーコード読み取り機構の実施例断面の概略を示す図である。図２に示す従来構成と同一又は，類似の部分には同じ参照番号を付している。
【００３４】
図２の構成に対し，本考案の特徴として前面パネル１０に透視窓１１とともに外部光１５Ａを採光する開口窓１５を備え，更に筐体１Ａの内部に反射鏡１６を有している。反射鏡１６は，開口窓１５から入射する外部光１５Ａを反射して，前記透視窓１１に位置づけられたレシート用紙２０のバーコード部分を照射する。したがって，イメージセンサ１２は，光学系１２ａ，１２ｂを通してより大きい照明下でバーコードを撮像することができる。
【００３５】
なお，集光レンズ１２ｂとともに光学系を構成する反射鏡１２ａは，実施例として筐体１Ａを小型化するために光学路を折り返すためのものであり，本考案を適用するバーコード読み取り機構において必須のものではない。また，補助光源１３は，図２において説明したように，バーコードを照射する補助光を供給するものであり，必要により備えられる。
【００３６】
図１１は，イメージセンサ１２でバーコードの画像を撮像した後の処理回路の一例ブロック図である。また，図１２は，処理回路の動作フロー図である。
【００３７】
イメージセンサ１２で撮像された信号は，増幅器１２０により増幅され，コンパレータ１２１の一入力端に入力される。コンパレータ１２１の他方の入力端には，スライスレベル設定回路１２２から閾値信号が入力される。
【００３８】
したがって，コンパレータ１２１は，増幅器１２０からの入力が閾値信号のレベルを超えた時に論理“１”の出力をＣＰＵ １２３に出力する。ＣＰＵ１２３は，コンパレータ１２１から入力される出力波形を読み取り（図１２，ステップＳ１），読み取った波形がメモリ１２４に格納されているバーコードフォーマットデータと一致するかを判定する（図１２，ステップＳ２）。
【００３９】
ステップＳ２の判定で，一致を検知すると，バーコード情報をデコードしてそのデコードデータを出力する（図１２，ステップＳ３）。
【００４０】
さらに，ステップＳ２の判定で，不一致を検知すると，ＣＰＵ１２３は，コンパレータ１２１に供給する閾値信号を別の異なる閾値のレベルに変更するようにスライスレベル設定回路１２２を制御する（図１２，ステップＳ４）。
【００４１】
ここで，図１３は、図１０の実施の形態における本考案に従う前面パネル１０の第１の構成例を更に説明する図である。
【００４２】
図１３に示す例は，前面パネル１０に透視窓１１と，外部光を採光する開口窓１５を独立に設けた例である。右側の図は断面図である。
【００４３】
図１３Ａに示すように前面パネル１０は，強化ガラス板等の光透過板で形成される。この強化ガラス板等の光透過板に透視窓１１と開口窓１５を独立して形成する。このために，透視窓１１と開口窓１５を除く光透過板の全面を不透明のシート１０Ａで覆うか，不透明の印刷を施して形成される。
【００４４】
利用者は，図１３Ｂに示すようにレシート用紙２０を裏返して，バーコード２０Ｂを透視窓１１に位置づける。この時，レシート用紙２０端の上部に開口窓１５が位置する。この状態により，図１０に示したように，外光１５Ａを開口窓１５を通して筐体１Ａ内に取り入れることが可能である。
【００４５】
つぎに，図１４は，図１０の実施の形態における本考案に従う前面パネル１０の第２の構成例を更に説明する図である。この実施例では，透視窓１１と開口窓１５を一体として共通の透視開口窓１１Ａを設けている。
【００４６】
図１３Ａ，１３Ｂに示す実施例と同様に，前面パネル１０は，強化ガラス板等の光透過板で形成される。この強化ガラス板等の光透過板に共通の透視開口窓１１Ａを形成する。このために，透視開口窓１１Ａを除く全面を不透明のシート１０Ａで覆うか，不透明の印刷を施して形成される。
【００４７】
さらに，図１４Ａ，図１４Ｂの実施例では，利用者が，図１４Ｂに示すようにレシート用紙２０を裏返して，バーコード２０Ｂの印刷された面を透視開口窓１１Ａに位置づける際，バーコード２０Ｂの画像の読み取りを確実にするために，光学系（反射板１２ａ，集光レンズ１２ｂ：図１０参照）の光学軸に対応するようにバーコード２０Ｂが位置づけられることが必要である。
【００４８】
このために，レシート用紙２０の端部の位置合わせ用ガイドライン１１Ｂが印刷されている。また，ガイドライン１１Ｂの意味を示すメッセージ１１Ｃも必要により印刷されている。
【００４９】
したがって，利用者は，レシート用紙２０を裏返して，透視開口窓１１Ａに位置づける際，レシート用紙２０の端部を位置合わせ用ガイドライン１１Ｂに合わせることにより，バーコード２０Ｂを適切な位置に置くことができる。このとき，透視開口窓１１Ａの，レシート用紙２０の端部より上部側が外光を取り入れる開口窓部に相当し，適切に外光を筐体１Ａ内に取り込むことが可能である。
【００５０】
図１５は，開口窓１５又は，透視開口窓１１Ａにより形成される開口窓部と反射鏡１６の関係を更に説明する図である。
【００５１】
特に，反射鏡１６を平板状とした時の，図１５Ａは，側面から観察した時の関係を示し，図１５Ｂは，上面から観察した時の関係を示している。
【００５２】
図１５Ａにおいて，開口窓１５又は，透視開口窓１１Ａにより形成される開口窓部によって垂直方向の採光窓開口範囲１５Ｂが規定される。外部光１５Ａは，太陽の移動に伴い，外部光の入射高さが変化する。したがって，外部光の入射高さの所定変化範囲で反射鏡１６により反射される外部光がバーコード２０を照射できるように採光窓開口範囲１５Ｂが設定される。
【００５３】
同様に、図１５Ｂにおいて，開口窓１５又は，透視開口窓１１Ａにより形成される開口窓部によって水平方向の採光窓開口範囲１５Ｃが規定される。外部光１５Ａは，太陽の移動に伴い，外部光の水平入射角度が変化する。したがって，外部光の水平入射角度の所定変化範囲で反射鏡１６により反射される外部光がバーコード２０を照射できるように採光窓開口範囲１５Ｃが設定される。
【００５４】
さらに、図１６は、反射鏡１６を凸面鏡とした場合の開口窓１５又は，透視開口窓１１Ａにより形成される開口窓部と反射鏡１６の関係を更に説明する図である。そして、図１６Ａは、図１５Ａに対応し、開口窓１５又は，透視開口窓１１Ａにより形成される開口窓部によって垂直方向の採光窓開口範囲１５Ｂが規定されることを示し、図１６Ｂは、図１５Ｂに対応し、開口窓１５又は，透視開口窓１１Ａにより形成される開口窓部によって水平方向の採光窓開口範囲１５Ｃが規定されることを示している。
【００５５】
特に、図１６Ａ，図１６Ｂの例は、反射鏡１６を平面鏡ではなく、凸面鏡を用いている点に特徴を有している。反射鏡１６として凸面鏡を用いる場合は、同一採光範囲でより広い高さ方向および水平方向の太陽光変化において外部光を採光しバーコード２０Ｂに照射することができる。
【００５６】
図１７は、上記した本考案に従う実施例構成による得られる効果の実証を示す図である。
【００５７】
図１７Ａは，本考案の適用前の測定データであり，図１７Ｂは本考案の適用例における測定データである。ともに波形ａはイメージセンサ１２で読み取り，増幅された信号であり，波形ｂは所定閾値のレベルを超えているか否かで判定された信号である。
【００５８】
図１７Ａとの比較において，図１７Ｂの測定データでは，使用者の指の外光による影の部分に対応する領域Ａは，筐体１Ａ内部に取り入れた外光が反射鏡１６によりバーコード部分に照射され，コントラスト差が低減し，これにより閾値の変更可能範囲内で正常にバーコードの像を読み取られるという本考案の効果が示されている。
【００５９】
なお，図７および図１７において，閾値ＴＨ１，ＴＨ２は，便宜的に直流的に一定値で示されているが，これら閾値のレベルは，増幅器１２０のＡＧＣによる効果に合わせて撮像画像の波形に対応するようにある程度ダイナミックに制御されている。したがって，図において，波形の両肩部分のレベルが落ちている状態が示されているが，これに対応して閾値のレベルも変動している。したがって，波形ｂにおいて，正しく判定された信号が示されている。
【００６０】
ここで、上記において、釣銭清算機に本考案のバーコード読み取り機構を適用する実施例を説明したが、本考案の適用はかかる実施例に限定されない。すなわち、レシート用紙に印刷されたバーコードを利用して、商品の購入、例えば、セルフ式ガソリンスタンドにおいて、燃料油の購入、洗車機の利用等行うための機器に本考案のバーコード読み取り機構を組み込むことも可能である。
【産業上の利用可能性】
【００６１】
上記したように、本考案に従うバーコード読み取り機構により、バーコード情報の読み取りにおける外光により生じる影の影響を容易に回避できる。したがって、バーコード読み取り機構を組み込んだ装置の美観を損なうことなく、且つ設置場所に関し、太陽光の影響を考慮することが不要となる。これによりセルフ式ガソリンスタンドの機器配置の制約が低減される。その結果として設備コストを削減できるという利点をもたらすものである。
【図面の簡単な説明】
【００６２】
【図１】釣り銭精算機の概念構成を示す装置の外観図である。
【図２】釣り銭精算機の内部に組み込まれるバーコード読み取り機構の概略断面図である。
【図３】前面パネル１０を説明する図である。
【図４】レシート用紙２０の一例である。
【図５Ａ】バーコード２０Ｂの読み取りを説明する図（その１）である。
【図５Ｂ】バーコード２０Ｂの読み取りを説明する図（その２）である。
【図５Ｃ】バーコード２０Ｂの読み取りを説明する図（その３）である。
【図６】バーコード２０Ｂの構成及び，バーコード読み取り信号を説明する図である。
【図７】増幅した読み取り波形の閾値判定を説明する図である。
【図８】ある地域における日中の時間変化とバーコード読み取り面における照度の変化を測定したデータである。
【図９】外光によるバーコード読み取りに対する影響を回避する従来構成を示す図である。
【図１０】本考案を適用するバーコード読み取り機構の実施例断面の概略を示す図である。
【図１１】イメージセンサ１２でバーコードの画像を撮像した後の処理回路の一例ブロック図である。
【図１２】処理回路の動作フロー図である。
【図１３】図１０の実施の形態における本考案に従う前面パネル１０の第１の構成例を更に説明する図である。
【図１４】図１０の実施の形態における本考案に従う前面パネル１０の第２，第３の構成例を更に説明する図である。
【図１５】開口窓１５又は，透視開口窓１１Ａにより形成される開口窓部と反射鏡１６の関係を更に説明する図である。
【図１６】反射鏡１６を凸面鏡とした場合の開口窓１５又は，透視開口窓１１Ａにより形成される開口窓部と反射鏡１６の関係を更に説明する図である。
【図１７】本考案に従う実施例構成による得られる効果の実証を示す図である。
【符号の説明】
【００６３】
１      開口部
１Ａ    筐体
２      釣り銭の払い出し部
１０    前面パネル
１１    透視窓
１１Ａ  透視開口窓
１２    イメージセンサ
１２ａ  反射板
１２ｂ  集光レンズ
１３    補助光源
１５    開口窓
１５Ａ  外光
１６    反射鏡
２０    レシート用紙
２０Ａ  取引情報
２０Ｂ  バーコード
２０Ｃ  利用者の指
２０Ｄ  外光による影
【図１】
0003112522.tif 000003
【図２】
0003112522.tif 000004
【図３】
0003112522.tif 000005
【図４】
0003112522.tif 000006
【図５Ａ】
0003112522.tif 000007
【図５Ｂ】
0003112522.tif 000008
【図５Ｃ】
0003112522.tif 000009
【図６】
0003112522.tif 000010
【図７】
0003112522.tif 000011
【図８】
0003112522.tif 000012
【図９】
0003112522.tif 000013
【図１０】
0003112522.tif 000014
【図１１】
0003112522.tif 000015
【図１２】
0003112522.tif 000016
【図１３】
0003112522.tif 000017
【図１４】
0003112522.tif 000018
【図１５】
0003112522.tif 000019
【図１６】
0003112522.tif 000020
【図１７】
0003112522.tif 000021